(57)【要約】      （修正有）【課題】トリガ部により内外障子の開閉状態を検出する空掛け防止機能を有したサッシにおいて、その建付調整を容易にすることのできるクレセント及びクレセント付サッシを提供する。【解決手段】内外障子を引き違い状とし、内障子にはハンドルとその回動機構を備えたボックス部とを有したクレセントを設け、外障子には受金具を設け、受金具には室内面の一部を覆う金具カバーを設け、金具カバーは室内側に突出する突部を有し、クレセントのボックス部には回動阻止機構２０が設けられ、回動阻止機構２０はハンドルの回動に伴ってボックス部から室外側に突出するトリガ部２３と、トリガ部２３を固定しボックス部内でスライド自在なスライド部２２とを有し、トリガ部２３はスライド部２２に対しそのスライド方向にネジ止めされることで突出方向に位置決め自在とされる。【選択図】図９
2008031812.tif 000002
【特許請求の範囲】
【請求項１】
枠体内に設けられる内外障子のうち内障子の召合せ框に設けられるものであって、ハンドルと連動して回動する掛部と該掛部の回動機構を備えたボックス部とを有してなり、前記掛部は前記外障子の召合せ框に設けられる受部に係脱自在なクレセントにおいて、
前記クレセントのボックス部には回動阻止機構が設けられ、該回動阻止機構は前記ハンドルの回動に伴ってボックス部から室外側に突出するトリガ部と、該トリガ部を固定し前記ボックス部内で室内外方向にスライド自在なスライド部とを有すると共に、前記トリガ部が前記ハンドルの回動に伴って、前記外障子の召合せ框に室内側に突出するように形成された突部より室外側まで突出すると前記ハンドルの回動をロックし、
前記トリガ部は前記スライド部に対しそのスライド方向に向かってネジ止めされることで前記突出の方向に位置決め自在とされたことを特徴とするクレセント。
【請求項２】
前記トリガ部は前記ボックス部から突出する先端部と、前記スライド部にネジ止めされる根元部とが一直線状に形成されてなり、前記根元部は前記内外障子の間隔の最大想定値と最小想定値の差よりも長くなるように形成されることを特徴とする請求項１記載のクレセント。
【請求項３】
枠体内に内外障子を引き違い状に納めてなり、前記内障子の召合せ框に請求項または２記載のクレセントを設けてなることを特徴とするクレセント付サッシ。
【発明の詳細な説明】
【技術分野】
【０００１】
本発明は引き違い状の内外障子の召合せ框に設けられるクレセント及びクレセント付サッシに関し、特に空掛け防止機能を有したクレセント及びクレセント付サッシに関する。
【背景技術】
【０００２】
従来から内外障子を引き違い状としてなるサッシが知られている。このようなサッシでは、内障子の召合せ框にクレセントを設け、外障子の召合せ框には受部を設け、クレセントのハンドルを回動させることで、それに連動して爪状の掛部が回動し、外障子の受部に係合して障子を施錠することができるようにされている。このようなクレセントを有した引き違い障子のサッシは例えば特許文献１に挙げるようなものがある。
【特許文献１】特開２００２−１８０７５５号公報
【０００３】
クレセントは、内外障子が閉じた状態でなければ掛部が受部に係合しないので、障子が開いた状態ではハンドルを回動させても空掛け状態となり施錠されない。このように、空掛け状態ともなるクレセントでは、ハンドルを回動させても施錠されないことがあるので、防犯上好ましくない。また、空掛け状態で障子を走行させると、爪状の掛部が障子の框に傷を付けたり変形したりすることがある。そこで本件出願人は、クレセントのボックス部にハンドルの回動に伴って室外側に突出するトリガ部を設けると共に、掛部側には室内側に向かって突出する突部を設け、トリガ部は内外障子が閉じた状態でハンドルを回動させると掛部側の突部に当接し、トリガ部が突部に当接するとハンドルに対するロックを解除し、トリガ部が突部に当接することなくさらに突出するとハンドルをロックする回動阻止機構を設けたクレセント及びクレセント付サッシを発明した。
【発明の開示】
【発明が解決しようとする課題】
【０００４】
このような回動阻止機構を有したクレセントにおいては、内外障子が閉じた状態において、突出するトリガ部が所定の突出量で掛部側の突部に当接する必要がある。このため、内外障子の見込方向間隔を正確に調整する必要があった。しかし、トリガ部が正常に動作する程度にまで内外障子の見込方向間隔を正確に調整するには、サッシの建付調整を通常より精密に行う必要があり、手間がかかり作業性を悪化させることとなっていた。
【０００５】
本発明は、前記課題を解決すべくなされたものであり、トリガ部により内外障子の開閉状態を検出する空掛け防止機能を有したサッシにおいてその建付調整を容易にすることのできるクレセント及びクレセント付サッシを提供することを目的とする。
【課題を解決するための手段】
【０００６】
前記課題を解決するため、本発明に係るクレセントは、枠体内に設けられる内外障子のうち内障子の召合せ框に設けられるものであって、ハンドルと連動して回動する掛部と該掛部の回動機構を備えたボックス部とを有してなり、前記掛部は前記外障子の召合せ框に設けられる受部に係脱自在なクレセントにおいて、
前記クレセントのボックス部には回動阻止機構が設けられ、該回動阻止機構は前記ハンドルの回動に伴ってボックス部から室外側に突出するトリガ部と、該トリガ部を固定し前記ボックス部内で室内外方向にスライド自在なスライド部とを有すると共に、前記トリガ部が前記ハンドルの回動に伴って、前記外障子の召合せ框に室内側に突出するように形成された突部より室外側まで突出すると前記ハンドルの回動をロックし、
前記トリガ部は前記スライド部に対しそのスライド方向に向かってネジ止めされることで前記突出の方向に位置決め自在とされたことを特徴として構成されている。
【０００７】
また、本発明に係るクレセントは、前記トリガ部は前記ボックス部から突出する先端部と、前記スライド部にネジ止めされる根元部とが一直線状に形成されてなり、前記根元部は前記内外障子の間隔の最大想定値と最小想定値の差よりも長くなるように形成されることを特徴として構成されている。
【０００８】
さらに、本発明に係るクレセント付サッシは、枠体内に内外障子を引き違い状に納めてなり、前記内障子の召合せ框に前記のクレセントを設けてなることを特徴として構成されている。
【発明の効果】
【０００９】
本発明に係るクレセントによれば、トリガ部はスライド部に対しそのスライド方向にネジ止めされることで突出方向に位置決め自在とされたことにより、内外障子の間隔に応じてトリガ部の突出量を調整することができ、内外障子の調整を精密にしなくてもトリガ部による障子の開閉状態検出を確実にすることができるので、空掛け防止機能を有したサッシにおいてその建付調整を容易にすることができる。
【００１０】
また、本発明に係るクレセントによれば、トリガ部はボックス部から突出する先端部と、スライド部にネジ止めされる根元部とが一直線状に形成されてなり、根元部は内外障子の間隔の最大想定値と最小想定値の差よりも長くなるように形成されることにより、サッシの建付状態に応じてトリガ部の突出量を確実に調整することができる
【００１１】
本発明に係るクレセント付サッシによれば、空掛け防止機能を有しつつ建付調整の容易なものとすることができる。
【発明を実施するための最良の形態】
【００１２】
本発明の実施形態について、図面に沿って詳細に説明する。図１は本実施形態におけるサッシを室内側から見た正面図である。この図に示すように、本実施形態におけるサッシは、建物開口部に方形状の枠体１を設け、その内部に２枚の障子４、４を引き違い状に納めてなるものである。
【００１３】
障子４は上框７０と下框８０及び左右の縦框９０、９０を方形状に框組みしてなる框体２にガラス体３を納めてなるものである。そして、内障子４ａの召合せ框９１にはクレセント１０が設けられ、外障子４ｂの召合せ框９１には受金具１５が設けられる。
【００１４】
クレセント１０は、召合せ框９１に固定されるボックス部１１と、ボックス部１１に回動自在に取付けられたハンドル１３と、ハンドル１３に固定され共に回動する爪状の掛部１２とを備えている。受金具１５は、内障子４ａと外障子４ｂが閉じた状態でクレセント１０の掛部１２が回動することで係合する受部１６を備えている。
【００１５】
図２には、クレセント１０を室外側から見た正面図を示している。この図に示すように、ボックス部１１は上下方向に長い箱状に形成されており、ハンドル１３はボックス部１１に隣接するように回動自在に設けられている。また、掛部１２はハンドル１３が上向きに配置されているときに室外面となる面に取付けられている。
【００１６】
ボックス部１１内部にはハンドル１３を回動させる回動機構と、掛部１２の空掛け状態の場合にハンドル１３の回動をロックする回動規制機構２０とが納められている。また、図３に示すように、回動規制機構２０の一部であるトリガ部２３がハンドル１３の回動に伴って突出するための開口部１１ａがボックス部１１の室外面に２か所設けられている。本実施形態では、上側の開口部１１ａからトリガ部２３が突出する。回動規制機構２０の詳細については後述する。
【００１７】
図３には、受金具１５を室内側から見た正面図を示している。受金具１５は、図３で示す右半分は召合せ框９１に対する固定部１７として形成され、左半分はクレセント１０の掛部１２に対する受部１６として形成されている。受部１６は方形状で中央部が中空状とされた枠形状に形成されており、左端部にはクレセント１０の掛部１２に係合する被係合部１６ａを有している。また、受部１６の室内面には樹脂材からなる金具カバー３０が設けられている。
【００１８】
金具カバー３０は、受部１６を略覆うように中央部を中空状とした枠形状に形成されている。ただし、被係合部１６ａは室内側に露出させるようにしている。また、金具カバー３０には、その上部から被係合部１６ａと中空状の部分を介して対向する側部にかけて略Ｌ字状に突出させた突起部３１が形成され、さらにそれと上下対称形状となるように下部にも同様に突起部３１が形成される。これにより金具カバー３０は、受部１６の被係合部１６ａよりも見付方向外側位置に突起部３１が形成されていることになる。またその突起部３１は、被係合部１６ａに対して水平位置が上方及び下方に位置している。
【００１９】
図４には内障子４ａと外障子４ｂを閉じた状態における召合せ框９１、９１の横断面図であって、クレセント１０による施錠がなされていない状態の図を示している。この図に示すように、この状態ではクレセント１０のハンドル１３は下向きに配置され、また掛部１２は室内側に配置されている。外障子４ｂの受部１６に形成された被係合部１６ａは、内障子４ａと外障子４ｂを閉じた状態でクレセント１０の掛部１２に対向する位置に配置されている。また、金具カバー３０に形成された突起部３１は、クレセント１０のボックス部１１に対向する位置に配置されている。
【００２０】
図５には図４の状態からクレセント１０による施錠を行った状態の図を示している。この図に示すように、この状態ではクレセント１０のハンドル１３は上向きに配置され、また掛部１２は受部１６の被係合部１６ａに係合している。ここで、クレセント１０のボックス部１１からはその内部に設けられた回動規制機構２０のトリガ部２３が突出し、その先端部２３ａが金具カバー３０の突起部３１の先端部３１ａに当接している。
【００２１】
このように、内障子４ａと外障子４ｂが完全に閉じた状態で、クレセント１０の掛部１２が受部１６の被係合部１６ａに係合可能な状態においては、クレセント１０のハンドル１３の回動に伴ってボックス部１１から室外側に向かって突出するトリガ部２３が、受部１６の被係合部１６ａよりも見付方向外側に形成された金具カバー３０の突起部３１に当接し、これによって回動規制機構２０はハンドル１３の回動に対するロックを解除する。すなわち、内障子４ａと外障子４ｂが完全に閉じた状態では、クレセント１０のハンドル１３は、回動規制機構２０に回動を規制されることなく掛部１２が受部１６の被係合部１６ａに係合する位置まで回動させることができる。
【００２２】
図６には内障子４ａと外障子４ｂが閉じていない状態における召合せ框９１、９１の横断面図を示している。この図に示すように、この状態でクレセント１０のハンドル１３を回動させると、ボックス部１１から回動規制機構２０のトリガ部２３が突出し、この場合はトリガ部２３の突出方向に突起部３１のような障害物がないため、図５の場合よりさらに室外側まで突出する。すると、回動規制機構２０はハンドル１３の回動をロックし、それ以上ハンドル１３を施錠方向に回動できないようにする。これにより内障子４ａと外障子４ｂが完全には閉じていない際に生じるクレセントの空掛けを防止することができる。
【００２３】
図６の状態において、クレセント１０のハンドル１３をロックされた状態で保持したまま内障子４ａまたは外障子４ｂを移動させ、完全に閉じた状態にしようとすると、クレセント１０側のトリガ部２３が受部１６側の突起部３１に干渉する。しかし、トリガ部２３はハンドル１３がロックされた状態でも室内側に押圧すると引っ込むように形成されており、またトリガ部２３の先端部２３ａは略半球状に形成されると共に、突起部３１の先端部３１ａは角部が面取りされて多角形状に形成されていることにより、ハンドル１３がロックされたまま内障子４ａまたは外障子４ｂを移動させても、トリガ部２３は突起部３１に対し傾斜状に当接する。そのため、突起部３１によってトリガ部２３がボックス部１１内部に押し込まれ、それにより図５の状態となって回動規制機構２０によるハンドル１３のロックは解除される。
【００２４】
さらに、内障子４ａと外障子４ｂが図６の状態よりも大きく開いており、トリガ部２３が受部１６の被係合部１６ａよりも内障子４ａの見付方向内側位置に向かって突出した場合においても、突起部３１は受部１６の被係合部１６ａよりも上方及び下方に形成されており、そのうち上方に形成された突起部３１に対して当接するようにトリガ部２３が設けられているので、ボックス部１１から室外側に突出したトリガ部２３は、受部１６の被係合部１６ａに干渉することがない。そのため、この場合においてもハンドル１３がロックされた状態のまま障子４、４を移動させて完全に閉めた状態にすることができる。
【００２５】
このように、受部１６において被係合部１６ａよりも見付方向外側位置に突起部３１が形成され、一方クレセント１０のボックス部１１からトリガ部２３が突出して突起部３１に当接することでハンドル１３に対するロックを解除するようにしたことで、掛部１２は空掛け防止機能を有しないクレセントのものと同様であり、回動規制機構２０が室外側から見えないようにすることができるので、防犯上の効果が高いサッシとすることができる。また、トリガ部２３及び突起部３１の水平位置が、受部１６の被係合部１６ａに対して上方または下方とされていることにより、障子が完全には閉じておらずトリガ部２３が突出した状態のまま障子を移動させても、受部１６の被係合部１６ａと干渉することがなく、トリガ部２３により受部１６を破損させる恐れのないサッシとすることができる。
【００２６】
また、クレセント１０のハンドル１３がロックされた状態、すなわちトリガ部２３が最も室外側に突出した状態で、掛部１２の先端はトリガ部２３の先端よりも室内側に配置される。これにより、クレセント１０を空掛け状態としたまま障子を移動させても、掛部１２はトリガ部２３の先端より室外側に突出しないので、受部１６に干渉することがなく、掛部１２により受部１６を破損させる恐れのないサッシとすることができる。
【００２７】
次に、ボックス部１１に納められる回動規制機構２０について説明する。図７はボックス部１１の内部構造を示したクレセント１０の正面図である。この図に示すように、ボックス部１１の内部には、ハンドル１３と連動して回動する回転体２１と、この回転体２１と連係しスライドするスライド部２２と、スライド部２２にネジ止めによって取付けられスライド部２２のスライドに伴ってボックス部１１の開口部１１ａから外側に突出するトリガ部２３とが納められて回動規制機構２０を構成している。ここで、スライド部２２は図示しないバネによってトリガ部２３の突出方向に付勢された状態となっている。以下、回動規制機構２０を構成する回転体２１とスライド部２２及びトリガ部２３のみを取り出して説明する。
【００２８】
図８には、回動規制機構２０の斜視図であって、開錠した状態、すなわちハンドル１３が下向きに配置されている状態の図を示している。この図に示すように、回転体２１のスライド部２２と対向する面には、切欠状の係止部２１ａが形成されている。また、スライド部２２の回転体２１と対向する面には、回転体２１の方に向かって突出するストッパ２２ａが形成されている。
【００２９】
図９には、図８の回動規制機構２０を反対側から見た斜視図を示している。この図に示すように、回転体２１の係止部２１ａが形成されている面には、棒状に突出した被押圧部２１ｂが形成されており、一方スライド部２２には、図９の状態では被押圧部２１ｂに圧接するように切欠状の押圧部２２ｂが形成されている。上述のようにスライド部２２は、トリガ部２３の突出方向にバネにより付勢されているので、図８や図９の状態においては、スライド部２２の押圧部２２ｂが回転体２１の被押圧部２１ｂを押圧し、その反力によりスライド部２２が静止した状態となっている。
【００３０】
トリガ部２３はスライド部２２に対してネジ止めにより固定されている。図１０にはスライド部２２及びトリガ部２３の側面図を示している。この図に示すように、スライド部２２には突出側の端部に平面状の固定部２２ｃが形成され、固定部２２ｃにはネジ孔２２ｄが形成されている。一方、トリガ部２３は、先端が略半球状とされた先端部２３ａと、先端部２３ａより一回り小さい直径に形成され、固定部２２ｃのネジ孔２２ｄに対して螺合自在となるようにネジ山が切られた根元部２３ｂとを、一直線状に形成して構成されている。トリガ部２３の根元部２３ｂは、ネジ孔２２ｄに対してどの位置まで螺合させるかによってスライド部２２の突出方向に位置決め自在とされているので、トリガ部２３はスライド部２２の突出方向に根元部２３ｂの長さ分だけ位置を調整することができる。ここでは、図１０に示すように根元部２３ｂの略中央位置においてネジ孔２２ｄと螺合するようにトリガ部２３の位置が調整されている。
【００３１】
図１１〜図１５には、回動規制機構２０の正面図を示している。図１１は図８や図９と同様に開錠状態であってクレセント１０のハンドル１３が下方に向いた状態を示している。この状態では、トリガ部２３はボックス部１１から突出することなく納まっている。ただし、障子の開閉に支障がない程度にトリガ部２３がボックス部１１から突出していてもよい。また、スライド部２２の押圧部２２ｂは回転体２１の被押圧部２１ｂに圧接し、付勢されたスライド部２２を静止させている。
【００３２】
図１２は、図１１の状態からクレセント１０のハンドル１３をわずかに回動させた状態を示している。回転体２１は、ハンドル１３の回動に伴って回動し、被押圧部２１ｂが外側に向かって移動する。それに伴って、外側に向かって付勢されたスライド部２２も外側に向かって移動し、トリガ部２３がボックス部１１の開口部１１ａから突出する。
【００３３】
図１３は、図１２の状態からさらにクレセント１０のハンドル１３を回動させた状態を示している。回転体２１の回動に伴って、スライド部２２及びそれと一体形成されたトリガ部２３は外側に向かって移動し、トリガ部２３はボックス部１１の開口部１１ａから大きく突出する。これは、トリガ部２３の突出に対する障害物がない場合であり、内障子４ａと外障子４ｂが完全には閉じていない場合に図１３の状態となる。すると、回転体２１の係止部２１ａがスライド部２２のストッパ２２ａに当接し、それ以上回転体２１が回動できなくなる。すなわち、ハンドル１３がロックされた状態となる。
【００３４】
図１４は、トリガ部２３が金具カバー３０の突起部３１に当接した状態を示している。すなわち、この場合は、内障子４ａと外障子４ｂが完全に閉じた状態となっている。トリガ部２３の先端部２３ａが突起部３１の先端部３１ａに当接すると、スライド部２２及びトリガ部２３はそれ以上外側に向かって移動しないようになる。この状態では、スライド部２２のストッパ２２ａも内側で静止した状態となるので、回転体２１の係止部２１ａはスライド部２２のストッパ２２ａと干渉することがなく、回転体２１は自在に回動することができる。
【００３５】
図１５は、図１４の状態からハンドル１３をさらに回動させてクレセント１０を施錠した状態を示している。トリガ部２３が突起部３１に当接した状態でさらにハンドル１３を回動させても、スライド部２２及びトリガ部２３は突起部３１により静止したままであるため、回転体２１はスライド部２２のストッパ２２ａに干渉されることなく回動する。ハンドル１３の回動を続けると、掛部１２が受部１６の被係合部１６ａに係合し、施錠がなされる。
【００３６】
回動規制機構２０は、以上のような構成により、内障子４ａと外障子４ｂが完全に閉じた状態、すなわちトリガ部２３が金具カバー３０の突起部３１に当接する場合には、ハンドル１３のロックを解除し、内障子４ａと外障子４ｂが完全には閉じていない状態、すなわちトリガ部２３の突出に対する障害物が存在しない場合には、ハンドル１３をロックする。
【００３７】
次に、内障子４ａと外障子４ｂとの間隔に応じたトリガ部２３の調整について説明する。内障子４ａと外障子４ｂとの間隔は、サッシの建付状態に応じて若干の誤差が生じる。内障子４ａと外障子４ｂとの間隔が所定の間隔よりも狭かった場合、受金具１５の見込方向位置は室内側に寄った状態となる。このため、内障子４ａと外障子４ｂが完全には閉まっていない状態で、トリガ部２３が受金具１５の突起部３１以外の部分に当接した場合に、トリガ部２３がハンドル１３をロックする位置まで突出できないことがある。すなわち、内障子４ａと外障子４ｂが完全に閉まっていない状態であるにもかかわらず、ハンドル１３がロックされない場合がある。したがって、この場合にはトリガ部２３の先端位置がボックス部１１のより内側方向に配置されるように、トリガ部２３のスライド部２２に対する取付位置を調整する。
【００３８】
図１６には、内障子４ａと外障子４ｂとの間隔が所定の間隔よりも狭い場合におけるスライド部２２とトリガ部２３の側面図を示している。この図に示すように、内障子４ａと外障子４ｂとの間隔が所定の間隔よりも狭い場合には、トリガ部２３の根元部２３ｂをスライド部２２のネジ孔２２ｄに対してより深く挿入した状態で螺合させることにより、トリガ部２３の先端部２３ａをボックス部１３内においてより内側方向に配置させる。
【００３９】
図１７には、内障子４ａと外障子４ｂとの間隔が所定の間隔よりも狭い場合において、トリガ部２３が最も突出した状態の横断面図を示している。この図では、内障子４ａと外障子４ｂは完全に閉まった状態とはなっておらず、トリガ部２３は受金具１５に取付けられた金具カバー３０の見付方向内側端部近傍に向かって突出する位置とされている。
【００４０】
図１７に示すように、トリガ部２３は最も突出した状態で、先端部２３ａが金具カバー３０に設けられる突起部３１の先端部３１ａよりは室外側に突出し、かつ受金具１５の突起部３１以外の部分には当接しない位置となるように調整される。これによって、内障子４ａと外障子４ｂが完全に閉じた状態においては、トリガ部２３の先端部２３ａが金具カバー３０に設けられる突起部３１の先端部３１ａに当接してハンドル１３はロックされず、内障子４ａと外障子４ｂが完全に閉じていない状態においては、トリガ部２３の先端部２３ａが受金具１５とは干渉することなくハンドル１３をロックする位置まで突出することができる。
【００４１】
逆に内障子４ａと外障子４ｂとの間隔が所定の間隔よりも広かった場合、受金具１５の見込方向位置は室外側に寄った状態となる。このため、内障子４ａと外障子４ｂが完全に閉まった状態において、トリガ部２３が金具カバー３０の突起部３１に当接するためには通常より室外側まで突出しなければならないために、当該位置まで突出するとハンドル１３がロックされる位置となることが起こり得る。したがって、この場合にはトリガ部２３の先端位置がボックス部１１のより外側方向に配置されるように、トリガ部２３の取付位置を調整する。
【００４２】
図１８には、内障子４ａと外障子４ｂとの間隔が所定の範囲よりも広い場合におけるスライド部２２とトリガ部２３の側面図を示している。この図に示すように、内障子４ａと外障子４ｂとの間隔が所定の間隔よりも広い場合には、トリガ部２３の根元部２３ｂをスライド部２２のネジ孔２２ｄに対してより浅く挿入した状態で螺合させることにより、トリガ部２３の先端部２３ａをボックス部１３内においてより外側方向に配置させる。
【００４３】
図１９には、内障子４ａと外障子４ｂとの間隔が所定の間隔よりも広い場合において、トリガ部２３が最も突出した状態の横断面図を示している。この図でも図１７と同様、内障子４ａと外障子４ｂは完全に閉まった状態とはなっておらず、トリガ部２３は金具カバー３０の見付方向内側端部近傍に向かって突出する位置とされている。
【００４４】
図１９に示すように、トリガ部２３は最も突出した状態で、先端部２３ａが金具カバー３０に設けられる突起部３１の先端部３１ａよりは室外側に突出し、かつ受金具１５の突起部３１以外の部分には当接しない位置となるように調整される。これによって、内障子４ａと外障子４ｂが完全に閉じた状態において、トリガ部２３の先端部２３ａが金具カバー３０に設けられる突起部３１の先端部３１ａに当接してもハンドル１３はロックされないようにすることができる。
【００４５】
トリガ部２３のスライド部２２に対する取付位置の調整範囲は、トリガ部２３の根元部２３ｂの長さによって定まる。この調整範囲は、内障子４ａと外障子４ｂとの間隔の最大想定値と最小想定値の差よりも大きくなるように設定して根元部２３ｂの長さを定めることで、サッシの建付状態に応じてトリガ部２３の突出量を確実に調整することができる。
【００４６】
以上、本発明の実施形態について説明したが、本発明の適用は本実施形態には限られず、その技術的思想の範囲内において様々に適用されうるものである。本実施形態では、本発明を引き違いサッシに適用したが、これに限られずクレセントを用いるサッシであれば適用できる。例えば、内外障子の一方を走行自在とし、他方を嵌め殺しとしたサッシや上げ下げ窓サッシなどにも適用することができる。
【図面の簡単な説明】
【００４７】
【図１】本実施形態におけるサッシを室内側から見た正面図である。
【図２】クレセントを室外側から見た正面図である。
【図３】受金具を室内側から見た正面図である。
【図４】内障子と外障子を閉じた状態における召合せ框の横断面図であって、クレセントによる施錠がなされていない状態の図である。
【図５】図４の状態からクレセントによる施錠を行った状態の図である。
【図６】内障子と外障子が閉じていない状態における召合せ框の横断面図である。
【図７】ボックス部の内部構造を示したクレセントの正面図である。
【図８】回動規制機構の斜視図であってハンドルが下向きに配置されている状態の図である。
【図９】図８の回動規制機構を反対側から見た斜視図である。
【図１０】スライド部とトリガ部の側面図である。
【図１１】開錠状態でクレセントのハンドルが下方に向いた状態における回動規制機構の正面図である。
【図１２】図１１の状態からクレセントのハンドルをわずかに回動させた状態における回動規制機構の正面図である。
【図１３】図１２の状態からさらにクレセントのハンドルを回動させた状態における回動規制機構の正面図である。
【図１４】トリガ部が金具カバーの突起部に当接した状態における回動規制機構の正面図である。
【図１５】図１４の状態からハンドルをさらに回動させてクレセントを施錠した状態における回動規制機構の正面図である。
【図１６】内障子と外障子との間隔が所定の間隔よりも狭い場合におけるスライド部とトリガ部の側面図である。
【図１７】内障子と外障子との間隔が所定の間隔よりも狭い場合において、トリガ部が最も突出した状態の横断面図である。
【図１８】内障子と外障子との間隔が所定の間隔よりも広い場合におけるスライド部とトリガ部の側面図である。
【図１９】内障子と外障子との間隔が所定の間隔よりも広い場合において、トリガ部が最も突出した状態の横断面図である。
【符号の説明】
【００４８】
１    枠体
２    框体
３    ガラス体
４    障子
４ａ  内障子
４ｂ  外障子
１０    クレセント
１１    ボックス部
１１ａ  開口部
１２    掛部
１３    ハンドル
１５    受金具
１６    受部
１６ａ  被係合部
２０    回動規制機構
２１    回転体
２１ａ  係止部
２１ｂ  被押圧部
２２    スライド部
２２ａ  ストッパ
２２ｂ  押圧部
２３    トリガ部
２３ａ  先端部
３０    金具カバー
３１    突起部
３１ａ  先端部
９０    縦框
９１    召合せ框
【図１】
2008031812.tif 000003
【図２】
2008031812.tif 000004
【図３】
2008031812.tif 000005
【図４】
2008031812.tif 000006
【図５】
2008031812.tif 000007
【図６】
2008031812.tif 000008
【図７】
2008031812.tif 000009
【図８】
2008031812.tif 000010
【図９】
2008031812.tif 000011
【図１０】
2008031812.tif 000012
【図１１】
2008031812.tif 000013
【図１２】
2008031812.tif 000014
【図１３】
2008031812.tif 000015
【図１４】
2008031812.tif 000016
【図１５】
2008031812.tif 000017
【図１６】
2008031812.tif 000018
【図１７】
2008031812.tif 000019
【図１８】
2008031812.tif 000020
【図１９】
2008031812.tif 000021